(57)【要約】      （修正有）【課題】メディアをカッティング処理する際の加工精度を低下させることがないカッティング処理を提供する。【解決手段】カッティングデータに基づいてメディアをカッティングするカッティング処理方法において、処理対象のカッティングデータの相互接続線分長を取得する第１の工程Ｓ７０２と、第１の工程で取得した相互接続線分長の短い順に処理対象のカッティングデータの並べ替えを行う第２の工程Ｓ７０４と、第２の工程で短い順に並び替えられた処理対象のカッティングデータを出力し、並べ替えに従った相互接続線分長の短い順でメディアをカッティングする第３の工程とを有するようにした。【選択図】図７
2019084606.tif 000002
【特許請求の範囲】
【請求項１】
カッティングデータに基づいてメディアをカッティングするカッティング処理方法において、
処理対象のカッティングデータの相互接続線分長を取得する第１の工程と、
前記第１の工程で取得した相互接続線分長の短い順に前記処理対象のカッティングデータの並べ替えを行う第２の工程と、
前記第２の工程で短い順に並び替えられた前記処理対象のカッティングデータにより、前記並べ替えに従った相互接続線分長の短い順でメディアをカッティングする第３の工程と
を有することを特徴とするカッティング処理方法。
【請求項２】
請求項１に記載のカッティング処理方法において、
前記第１の工程で取得された相互接続線分長の長さが同一のカッティングデータについては、始点位置がカッティング動作の基準原点位置に近い順にカッティングする
ことを特徴とするカッティング処理方法。
【請求項３】
請求項１または２のいずれか１項に記載のカッティング処理方法において、
前記メディアは、ベースシート上に粘着剤で表面シートを密着させた２層構造シートである
ことを特徴とするカッティング処理方法。
【請求項４】
請求項１、２または３のいずれか１項に記載のカッティング処理方法において、
前記カッティングデータは、ベクターデータ形式である
ことを特徴とするカッティング処理方法。
【請求項５】
カッティングデータに基づいてメディアをカッティングするカッティング装置において、
処理対象のカッティングデータの相互接続線分長を取得する相互接続線分長取得手段と、
前記相互接続線分長取得手段で取得した相互接続線分長の短い順に前記処理対象のカッティングデータの並べ替えを行うカッティングデータソート手段と、
前記カッティングデータソート手段で短い順に並び替えられた前記処理対象のカッティングデータにより、前記並べ替えに従った相互接続線分長の短い順でメディアをカッティングするカッティング制御手段と
を有することを特徴とするカッティング装置。
【請求項６】
請求項５に記載のカッティング装置において、
前記相互接続線分長取得手段で取得された相互接続線分長の長さが同一のカッティングデータについては、始点位置がカッティング動作の基準原点位置に近い順にカッティングする
ことを特徴とするカッティング装置。
【請求項７】
請求項５または６のいずれか１項に記載のカッティング装置において、
前記メディアは、ベースシート上に粘着剤で表面シートを密着させた２層構造シートである
ことを特徴とするカッティング装置。
【請求項８】
請求項５、６または７のいずれか１項に記載のカッティング装置において、
前記カッティングデータは、ベクターデータ形式である
ことを特徴とするカッティング装置。
【発明の詳細な説明】
【技術分野】
【０００１】
本発明は、カッティング処理方法およびカッティング装置に関する。さらに詳細には、本発明は、各種のメディアを所望の形状に切断する際に用いて好適なカッティング処理方法およびカッティング装置に関する。
【背景技術】
【０００２】
従来より、各種のメディアの一例として、ベースシート上に粘着剤で表面シートを密着させた２層構造のシート（本明細書および本特許請求の範囲においては、「ベースシート上に粘着剤で表面シートを密着させた２層構造のシート」を「２層構造シート」と適宜に称する。）が知られている。
【０００３】
また、こうした２層構造シートをカッティングするためのカッティング装置として、ベクターデータ形式などにより構築されたカッティングデータに基づいて、２層構造シートの表面シートのみを所望の形状に切断するカッティングプロッタなどのカッティング装置が知られている。
【０００４】
即ち、こうしたカッティング装置においては、２層構造のシートの表面シートに、カッティングデータに基づきカッターを動作させて切断して切り抜いた所望の形状の部分（本明細書および本特許請求の範囲においては、「切り抜いた所望の形状部分」を「カッティング形状部分」と適宜に称する。）と、カッティング形状部分以外の部分（本明細書および本特許請求の範囲においては、「カッティング形状部分以外の部分」を「余白部分」と適宜に称する。）を形成する。
【０００５】
その後に、ベースシートからカッティング形状部分を剥がして、当該カッティング形状部分を各種の物体に貼付して当該物体を装飾したり、あるいは、ベースシートから余白部分を剥がして、当該余白部分を各種の物体に貼付して当該物体を装飾したりなどすることができる。
【０００６】
なお、２層構造シートとしては、上記したようにカッティング形状部分や余白部分を各種の物体に直接貼付するものの他に、例えば、表面シートの余白部分をベースシートから取り除き、ベースシート上に残った表面シートのカッティング形状部分を転写シートに一旦写し、この転写シートを所望の場所に貼り付け、転写シートのみを当該場所から取り除くことにより、所望の場所に所望の形状（カッティング形状）の表示を形成するようにしたものなどが知られている。
【０００７】
従来、カッティング装置において、カッティングデータに基づきカッターを動作させて２層構造シートの表面シートを切断する際には、当該カッターの動きを最小にするために、カッティング形状を構成する互いに接続されている線分（本明細書および本特許請求の範囲においては、「互いに接続されている線分」を「相互接続線分」と適宜に称する。）については、カッターが一筆書きの動きで相互接続線分を切断することができるようにカッティングデータを構築して動作させていた。
【０００８】
なお、本明細書および本特許請求の範囲においては、単一の「カッティングデータ」とは、カッターが一筆書きの動きで一つの相互接続線分を切断するためのデータの塊を意味するものとする。
【０００９】
従って、例えば、２層構造シートをそれぞれ分離した２本の相互接続線分で切断するためには、２つのカッティングデータを用いることになる。
【００１０】
ここで、従来のカッティング装置において、複数の相互接続線分に対応する複数のカッティングデータを処理する際においては、一筆書きの動きでカッターが動作する際の始点位置がカッティング動作の基準原点位置に近い順に相互接続線分を切断するようにカッティングデータが出力されていた。この点について、図１を参照しながら以下に説明する。
【００１１】
図１において、符号１００は２層構造シートである。２層構造シート１００は、ベースシート１００ａ上に粘着剤で表面シート１００ｂを密着させて形成されている（図２（ａ）（ｂ）を参照する。）。
【００１２】
カッター２００（図２（ａ）（ｂ）を参照する。）によるカッティング動作の基準原点位置αは、カッティング装置（図示せず。）において予め設定された箇所に固定的に決められている。
【００１３】
また、図１には、カッティングデータＡの相互接続線分により構成された菱形形状のカッティング形状部分と、カッティングデータＢの相互接続線分により構成された菱形形状のカッティング形状部分と、カッティングデータＣの相互接続線分により構成された菱形形状のカッティング形状部分とよりなる、三重の菱形形状のカッティング形状部分が示されている。
【００１４】
ここで、符号ａ１はカッティングデータＡについてカッター２００が動作する始点位置を示し、符号ａ２はカッティングデータＡについてカッター２００が動作する終点位置を示す。また、符号ｂ１はカッティングデータＢについてカッター２００が動作する始点位置を示し、符号ｂ２はカッティングデータＢについてカッター２００が動作する終点位置を示す。また、符号ｃ１はカッティングデータＣについてカッター２００が動作する始点位置を示し、符号ｃ２はカッティングデータＣについてカッター２００が動作する終点位置を示す。
【００１５】
従って、この図１に示す例においては、まず始めに、基準原点位置αに最も近い位置に始点位置ａ１があるカッティングデータＡに基づいてカッター２００による２層構造シート１００の表面シート１００ｂの切断が行われる。その後に、基準原点位置αに次に近い位置に始点位置ｂ１があるカッティングデータＢに基づいてカッター２００による２層構造シート１００の表面シート１００ｂの切断が行われる。最後に、基準原点位置αから最も遠い位置に始点位置ｃ１があるカッティングデータＣに基づいてカッター２００による２層構造シート１００の表面シート１００ｂの切断が行われる。
【００１６】
即ち、カッティングデータＡとカッティングデータＢとカッティングデータＣとに基づくカッティングを行うにあたっては、図２（ａ）に示すように、相互接続線分の長さが最も長いカッティングデータＡに基づくカッティングが最初に行われ、その後に相互接続線分の長さが次に長いカッティングデータＢに基づくカッティングが行われ、最後に相互接続線分の長さが最も短いカッティングデータＣに基づくカッティングが行われる。
【００１７】
上記したように、従来の手法によれば、相互接続線分の長さが長い方のカッティングデータからカッター２００によるカッティング動作が行われる場合がある。その場合には、相互接続線分の長さが比較的短いカッティングデータに基づくカッティング動作が行われる際に、相互接続線分の長さが比較的長いカッティングデータに基づくカッティング動作は既に行われているため、表面シート１００ｂは比較的長い相互接続線分の長さ分だけベースシート１００ａから切り離されていることになる。
【００１８】
このため、相互接続線分の長さが比較的短いカッティングデータに基づくカッティング動作が行われる表面シート１００ｂとベースシート１００ａとの密着面積は比較的狭小となっている場合がある。その場合には、図２（ｂ）に示すように、カッター２００が移動する際の抵抗などにより表面シート１００ｂにおける密着面積が比較的狭小な領域１００ｂｂがベースシート１００ａからずれたり剥離してしまって、カッティング処理の加工精度を低下させる恐れがあるという問題点があった。
【００１９】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００２０】
本発明は、従来の技術が有する上記したような問題点に鑑みてなされたものであり、その目的とするところは、メディアをカッティング処理する際の加工精度を低下させる恐れがないようにしたカッティング処理方法およびカッティング装置を提供しようとするものである。
【課題を解決するための手段】
【００２１】
上記目的を達成するために、本発明は、複数の相互接続線分のカッティングデータを処理する際において、相互接続線分の長さが短い方のカッティングデータからカッターによるカッティング動作を行うようにしたものである。
【００２２】
従って、本発明によれば、表面シートとベースシートとの密着面積が比較的狭小とはならない状態で、複数の相互接続線分のカッティングデータに基づくカッターによるカッティング動作を行うことが可能となる。
【００２３】
このため、カッターが移動する際の抵抗などにより表面シートがベースシートからずれたり剥離してしまうことがなく、カッティング処理の加工精度を低下させる恐れはなくなる。
【００２４】
例えば、上記した図１に示す例に関して説明すると、図３に示すように、最初にカッティングデータＣに基づいてカッター２００による２層構造シート１００の表面シート１００ｂの切断が行われる。このため、表面シート１００ｂとベースシート１００ａとの密着面積は比較的広大となっているので、カッター２００が移動する際の抵抗などにより表面シート１００ｂがベースシート１００ａからずれたり剥離することはなく、カッティング処理の加工精度を低下させることはない。
【００２５】
次いで、カッティングデータＢ、カッティングデータＡの順に２層構造シート１００の表面シート１００ｂの切断が行うことになるが、この際には表面シート１００ｂとベースシート１００ａとの密着面積が比較的狭小とはならない状態で順にカッティングすることができる。
【００２６】
従って、カッター２００が移動する際の抵抗などにより表面シート１００ｂがベースシート１００ａからずれたり剥離してしまうことがなく、カッティング処理の加工精度を低下させることはない。
【００２７】
即ち、本発明によるカッティング処理方法は、カッティングデータに基づいてメディアをカッティングするカッティング処理方法において、処理対象のカッティングデータの相互接続線分長を取得する第１の工程と、上記第１の工程で取得した相互接続線分長の短い順に上記処理対象のカッティングデータの並べ替えを行う第２の工程と、上記第２の工程で短い順に並び替えられた上記処理対象のカッティングデータにより、上記並べ替えに従った相互接続線分長の短い順でメディアをカッティングする第３の工程とを有するようにしたものである。
【００２８】
また、本発明によるカッティング処理方法は、上記した本発明によるカッティング処理方法において、上記第１の工程で取得された相互接続線分長の長さが同一のカッティングデータについては、始点位置がカッティング動作の基準原点位置に近い順にカッティングするようにしたものである。
【００２９】
また、本発明によるカッティング処理方法は、上記した本発明によるカッティング処理方法において、上記メディアは、ベースシート上に粘着剤で表面シートを密着させた２層構造シートであるようにしたものである。
【００３０】
また、本発明によるカッティング処理方法は、上記した本発明によるカッティング処理方法において、カッティングデータは、ベクターデータ形式であるようにしたものである。
【００３１】
また、本発明によるカッティング装置は、カッティングデータに基づいてメディアをカッティングするカッティング装置において、処理対象のカッティングデータの相互接続線分長を取得する相互接続線分長取得手段と、上記相互接続線分長取得手段で取得した相互接続線分長の短い順に上記処理対象のカッティングデータの並べ替えを行うカッティングデータソート手段と、上記カッティングデータソート手段で短い順に並び替えられた上記処理対象のカッティングデータにより、上記並べ替えに従った相互接続線分長の短い順でメディアをカッティングするカッティング制御手段とを有するようにしたものである。
【００３２】
また、本発明によるカッティング装置は、上記した本発明によるカッティング装置において、上記相互接続線分長取得手段で取得された相互接続線分長の長さが同一のカッティングデータについては、始点位置がカッティング動作の基準原点位置に近い順にカッティングするようにしたものである。
【００３３】
また、本発明によるカッティング装置は、上記した本発明によるカッティング装置において、上記メディアは、ベースシート上に粘着剤で表面シートを密着させた２層構造シートであるようにしたものである。
【００３４】
また、本発明によるカッティング装置は、上記した本発明によるカッティング装置において、上記カッティングデータは、ベクターデータ形式であるようにしたものである。
【発明の効果】
【００３５】
本発明は、以上説明したように構成されているので、メディアをカッティング処理する際の加工精度を低下させる恐れがないカッティング処理方法およびカッティング装置を提供することが可能になるという優れた効果を奏するものである。
【図面の簡単な説明】
【００３６】
【図１】図１は、カッティングデータの相互接続線分の一例を示す説明図である。
【図２】図２（ａ）（ｂ）は、従来の技術による図１のカッティングデータの相互接続線分のカッティング処理を示す説明図である。
【図３】図３は、本発明による図１のカッティングデータの相互接続線分のカッティング処理を示す説明図である。
【図４】図４は、本発明によるカッティング装置の実施の形態の一例を示す概略構成斜視説明図である。
【図５】図５は、図１に示すカッティング装置の要部の構成を示すブロック構成説明図である。
【図６】図６は、図１に示すカッティング装置におけるマイクロコンピューターの本発明の実施に関連する機能的構成をあらわすブロック構成説明図である。
【図７】図７は、図１に示すカッティング装置が実行する本発明の実施に関連するカッティング処理の処理ルーチンを示すフローチャートである。
【図８】図８（ａ）（ｂ）は、図１に示すカッティング装置におけるカッティング処理の動作例を示す説明図である。
【発明を実施するための形態】
【００３７】
以下、添付の図面を参照しながら、本発明によるカッティング処理方法およびカッティング装置の実施の形態の一例について詳細に説明するものとする。
【００３８】
図４には、本発明によるカッティング装置の実施の形態の一例を示す概略構成斜視説明図が示されている。また、図５には、図１に示すカッティング装置の要部の構成を示すブロック構成説明図が示されている。
【００３９】
図４乃至図５において本発明の実施の形態の一例として示すカッティング装置は、所謂、カッティングプロッタとして知られているものである。
【００４０】
カッティングプロッタ１０は、ペーパームーブタイプのカッティングプロッタであり、入力されたカッティングデータに基づいて、ベースシート１００ａ上に粘着剤で表面シート１００ｂが密着した２層構造シート１００を所定の方向に搬送するとともに、２層構造シート１００の搬送方向と直交する方向にキャリッジ２４を移動させて、キャリッジ２４に取り付けられたカッター２００により２層構造シート１００をカッティングデータに応じた形状に切断する。
【００４１】
具体的には、２層構造シート１００は、プラテン１２の両側に設けられた駆動ローラー１４、１６と、その上方側に配設されたピンチローラー１８、２０とで挟持した状態で、駆動ローラー１４、１６が駆動することにより、ＸＹＺ直交座標系のＹ軸方向に移動される。
【００４２】
そして、２層構造シート１００をＹ軸方向で移動させながら、キャリッジ２４をＸ軸方向に移動させることにより、キャリッジ２４に取り付けられたカッター２００で２層構造シート１００の表面シート１００ｂを切断する。
【００４３】
また、カッティングプロッタ１０は、内蔵したマイクロコンピューター３０に接続されたインターフェース３２において、シリアルケーブルなどを介して、外部のホストコンピューター（図示せず。）のインターフェースと接続可能となっている。
【００４４】
マイクロコンピューター３０の本発明の実施に関連する機能的構成については、図６を参照しながら後述する。
【００４５】
マイクロコンピューター３０には、バスを介して、Ｘモータードライバー３８と、Ｙモータードライバー４０とが接続されている。
【００４６】
Ｘモータードライバー３８には、カッター２００が取り付けられたキャリッジ２４をＸ軸方向に移動させるＸモーター４２が接続されている。
【００４７】
Ｙモータードライバー４０には、駆動ローラー１４、１６を介してシート２２をＹ軸方向に移動させるＹモーター４４が接続されている。
【００４８】
そして、マイクロコンピューター３０は、Ｘモーター４２およびＹモーター４４の励磁のオン／オフならびにオン時における駆動を制御する。
【００４９】
図６には、カッティングプロッタ１０におけるマイクロコンピューター３０の本発明の実施に関連する機能的構成をあらわすブロック構成説明図が示されている。
【００５０】
マイクロコンピューター３０は、制御部５０と、記憶部５２と、相互接続線分長取得部５４と、カッティングデータソート部５６と、カッティングデータ出力部５８とを有して構築される。
【００５１】
制御部５０は、カッティングプロッタ１０により実行される従来より公知のカッティング処理や、図７に示すフローチャートを参照しながら説明する本発明の実施に関連するカッティング処理などの各種の処理を含む全体の処理の制御を行う。
【００５２】
また、制御部５０は、カッター２００の昇降位置を設定するモーター（図示せず。）のモータードライバー（図示せず。）を制御して、各カッティングデータにおける相互接続線分の始点位置において、２層構造シート１００の表面シート１００ａを切断可能な位置にキャリッジ２４に取り付けられたカッター２００を降下させ、また、各カッティングデータにおける相互接続線分の終点位置において、２層構造シート１００の表面シート１００ａを切断しない位置にキャリッジ２４に取り付けられたカッター２００を上昇させる制御を行う。
【００５３】
記憶部５２は、カッティングプロッタ１０により実行される従来より公知のカッティング処理に用いられる情報や、図７に示すフローチャートを参照しながら説明する本発明の実施に関連するカッティング処理などで用いられる情報を含む各種の情報を記憶する。
【００５４】
本発明に関連しては、記憶部５２には、２層構造シート１００をカッティング処理する際に用いるカッティングデータがベクターデータ形式で記憶されている。こうしたカッティングデータは、例えば、インターフェース３２を介して外部のホストコンピューターから記憶部５２に入力される。
【００５５】
相互接続線分長取得部５４は、２層構造シート１００をカッティング処理する際に用いられるカッティングデータの相互線分長を取得する。ここで、２層構造シート１００をカッティング処理する際に用いられるカッティングデータが複数ある場合には、各カッティングデータについて相互接続線分長をそれぞれ取得する。
【００５６】
カッティングデータソート部５６は、相互接続線分長取得部５４により取得された相互接続線分長の短い順にカッティングデータの並べ替えを行う。
【００５７】
カッティングデータ出力部５８は、カッティングデータソート部５６により相互接続線分長の短い順に並び替えられたカッティングデータを、その並べ替えに従って相互接続線分長の短い順にＸモータードライバー３８ならびにＹモータードライバー４０へ出力する。
【００５８】
以上の構成において、ホストコンピュータなどを介して、カッティングプロッタ１０に対してカッティングデータの処理の開始が指示されると、図７のフローチャートに示す本発明によるカッティング処理の処理ルーチンが起動されて実行される。
【００５９】
この処理ルーチンが起動すると、まず、相互接続線分長取得部５４の処理により、処理対象の全てのカッティングデータについて相互接続線分長をそれぞれ取得する（ステップＳ７０２）。
【００６０】
ステップＳ７０２の処理を終了すると、ステップＳ７０４の処理へ進み、カッティングデータソート部５６の処理により、相互接続線分長取得部５４により取得された相互接続線分長の短い順にカッティングデータの並べ替えを行う。
【００６１】
ステップＳ７０４の処理を終了すると、ステップＳ７０６の処理へ進み、カッティングデータ出力部５８の処理により、カッティングデータソート部５６により相互接続線分長の短い順に並び替えられたカッティングデータを、その並べ替えに従って相互接続線分長の短い順にＸモータードライバー３８ならびにＹモータードライバー４０へ出力してカッティング処理を行い、処理対象の全てのカッティングデータを出力してカッティング処理が終わると、この処理ルーチンを終了する。
【００６２】
次に、図８（ａ）（ｂ）を参照しながら、図７に示すフローチャートを参照しながら説明した本発明によるカッティング処理の動作例について説明する。
【００６３】
ここで、図８（ａ）（ｂ）に示す動作例においては、図８（ａ）に示すように、２層構造シート１００に対して、長方形形状の相互接続線分を構築するカッティングデータＤ、正方形形状の相互接続線分を構築するカッティングデータＥ、三角形形状の相互接続線分を構築するカッティングデータＦおよび丸形形状の相互接続線分を構築するカッティングデータＧによるカッティング処理を行うものとする。
【００６４】
なお、処理対象であるカッティングデータＤ、カッティングデータＥ、カッティングデータＦならびにカッティングデータＧにおいては、カッティングデータＤの接続線分長が最も長く、次にカッティングデータＥの接続線分長が長く、次にカッティングデータＦの接続線分長が長く、カッティングデータＧの接続線分長が最も短い。
【００６５】
また、符号ｄ１はカッティングデータＤについてカッター２００が動作する始点位置を示し、符号ｄ２はカッティングデータＤについてカッター２００が動作する終点位置を示す。また、符号ｅ１はカッティングデータＥについてカッター２００が動作する始点位置を示し、符号ｅ２はカッティングデータＥについてカッター２００が動作する終点位置を示す。また、符号ｆ１はカッティングデータＦについてカッター２００が動作する始点位置を示し、符号ｆ２はカッティングデータＦについてカッター２００が動作する終点位置を示す。また、符号ｇ１はカッティングデータＧについてカッター２００が動作する始点位置を示し、符号ｇ２はカッティングデータＧについてカッター２００が動作する終点位置を示す。
【００６６】
ここで、本発明によるカッティング処理によれば、カッティングデータＤ、カッティングデータＥ、カッティングデータＦならびにカッティングデータＧについて、それぞれの相互接続線分長が取得される（ステップＳ７０２）。
【００６７】
次に、カッティングデータＤ、カッティングデータＥ、カッティングデータＦおよびカッティングデータＧを相互接続線分長の短い順、即ち、カッティングデータＧ→カッティングデータＦ→カッティングデータＥ→カッティングデータＤの順にカッティングデータの並べ替えが行われる（ステップＳ７０４）。
【００６８】
ここで、本発明の理解を容易にするために、説明の便宜上、カッティングデータＤ、カッティングデータＥ、カッティングデータＦおよびカッティングデータＧについて相互接続線分長の短い順に順位をつける。即ち、図８（ｂ）に示すように、相互接続線分長の最も短いカッティングデータＧを順位１とし、相互接続線分長が次に短いカッティングデータＦを順位２とし、相互接続線分長が次に短いカッティングデータＥを順位３とし、相互接続線分長が最も長いカッティングデータＤを順位４とする。
【００６９】
その後に、相互接続線分長の短い順、即ち、順位１のカッティングデータＧ→順位２のカッティングデータＦ→順位３のカッティングデータＥ→順位４のカッティングデータＤの順でＸモータードライバー３８ならびにＹモータードライバー４０へ出力されてカッティング処理が行われる。
【００７０】
従って、上記したカッティングプロッタ１０によれば、相互接続線分長の短い順であるカッティングデータＧ→カッティングデータＦ→カッティングデータＥ→カッティングデータＤの順に２層構造シート１００に対するカッティング処理が行われるため、表面シート１００ｂとベースシート１００ａとの密着面積が比較的狭小とはならない状態で、カッティングデータＤ、カッティングデータＥ、カッティングデータＦおよびカッティングデータＧに基づくカッター２００によるカッティング動作を行うことが可能となる。
【００７１】
このため、カッター２００が移動する際の抵抗などにより表面シート１００ｂがベースシート１００ａからずれたり剥離してしまうことがなく、カッティング処理の加工精度を低下させる恐れはない。
【００７２】
以上において説明したように、本発明によるカッティング処理方法およびカッティング装置によれば、２層構造シートなどのメディアのカッティングの際に、カッターが移動する際の抵抗などにともないメディアへ影響を与えることがなく、カッティング処理の加工精度が低下する恐れはない。
【００７３】
なお、上記した実施の形態は例示に過ぎないものであり、本発明は他の種々の形態で実施することができる。即ち、本発明は、上記した各実施の形態に限定されるものではなく、本発明の要旨を逸脱しない範囲で種々の省略、置き換え、変更などを行うことができる。
【００７４】
例えば、上記した各実施の形態は、以下の（１）乃至（５）に示すように変形するようにしてもよい。
【００７５】
（１）上記した実施の形態においては、相互接続線分長取得部５４で取得された相互接続線分長の長さが同一のカッティングデータの処理の順番についての説明は省略したが、相互接続線分長の長さが同一のカッティングデータについては、いずれのカッティングデータから処理をしてもよいし、あるいは、始点位置がカッティング動作の基準原点位置に近い順に処理するようにしてもよい。
【００７６】
（２）上記した実施の形態においては、本発明によるカッティング処理の対象のメディアとして２層構造シートを例示して説明したが、これに限られるものではないことは勿論であり、本発明によるカッティング処理の対象は２層構造シート以外の各種のメディア、例えば、単層のシートや織物なども含むものである。
【００７７】
（３）上記した実施の形態においては、処理対象のカッティングデータが単数の場合についての説明は省略したが、処理対象のカッティングデータが単数の場合には、相互接続線分長を求めることなく当該カッティングデータに基づくカッティング処理を行うようにしてもよいことは勿論である。
【００７８】
（４）上記した実施の形態においては、本発明をペーパームーブタイプのカッティングプロッタに適用した場合について説明したが、これに限られるものではないことは勿論であり、本発明はフラットベッドタイプのカッティングプロッタに適用するようにしてもよい。
【００７９】
（５）上記した各実施の形態ならびに上記した（１）乃至（４）に示す変形例は、適宜に組み合わせるようにしてもよい。
【産業上の利用可能性】
【００８０】
本発明は、２層構造シートなどのメディアを所望の形状にカッティング処理するカッティング装置に用いて好適である。
【符号の説明】
【００８１】
１０  カッティングプロッタ、１２  プラテン、１４  駆動ローラー、１６  駆動ローラー、１８  ピンチローラー、２０  ピンチローラー、２４  キャリッジ、３０  マイクロコンピューター、３２  インターフェース、３８  Ｘモータードライバー、４０  Ｙモータードライバー、４２  Ｘモーター、４４  Ｙモーター、５０  制御部（カッティング制御手段）、５２  記憶部、５４  相互接続線分長取得部（相互接続線分長取得手段）、５６  カッティングデータソート部（カッティングデータソート手段）、５８  カッティングデータ出力部（カッティング制御手段）、１００  ２層構造シート、１００ａ  ベースシート、１００ｂ  表面シート、２００  カッター、α  カッターによるカッティング動作の基準原点位置、Ａ  カッティングデータ、ａ１  カッティングデータＡについてカッターが動作する始点位置、ａ２  カッティングデータＡについてカッターが動作する終点位置、Ｂ  カッティングデータ、ｂ１  カッティングデータＢについてカッターが動作する始点位置、ｂ２  カッティングデータＢについてカッターが動作する終点位置、Ｃ  カッティングデータ、ｃ１  カッティングデータＣについてカッターが動作する始点位置、ｃ２  カッティングデータＣについてカッターが動作する終点位置、Ｄ  カッティングデータ、ｄ１  カッティングデータＤについてカッターが動作する始点位置、ｄ２  カッティングデータＤについてカッターが動作する終点位置、Ｅ  カッティングデータ、ｅ１  カッティングデータＥについてカッターが動作する始点位置、ｅ２  カッティングデータＥについてカッターが動作する終点位置、Ｆ  カッティングデータ、ｆ１  カッティングデータＦについてカッターが動作する始点位置、ｆ２  カッティングデータＦについてカッターが動作する終点位置、Ｇ  カッティングデータ、ｇ１  カッティングデータＧについてカッターが動作する始点位置、ｇ２  カッティングデータＧについてカッターが動作する終点位置
【図１】
2019084606.tif 000003
【図２】
2019084606.tif 000004
【図３】
2019084606.tif 000005
【図４】
2019084606.tif 000006
【図５】
2019084606.tif 000007
【図６】
2019084606.tif 000008
【図７】
2019084606.tif 000009
【図８】
2019084606.tif 000010